(57)【特許請求の範囲】
【請求項１】
装置本体から通信可能な範囲にある複数の非接触記録メディアに対して情報を記録する機能を有する情報記録装置であって、
非接触記録メディアが着脱自在に装着されるメディア装着部と、
非接触記録メディアが上記メディア装着部に装着されたことを検出するメディア検出手段と、
上記メディア装着部に装着された非接触記録メディアに対して情報の授受を行うための第１のアンテナと、
上記メディア装着部から取り外された非接触記録メディアに対して情報の授受を行うための第２のアンテナと、
上記メディア検出手段による検出出力に応じて、上記第１のアンテナと第２のアンテナと切り替えるアンテナ切替手段と、
上記アンテナ切替手段を介して上記第１のアンテナ又は第２のアンテナにより非接触記録メディアに対して通信を行い、上記装置本体に装着された非接触記録メディアに対しては、上記第１のアンテナを介して認証情報を付与して上記認証情報に基づいて認証処理を行い識別情報を付与し、上記装置本体から取り外された非接触記録メディアに対しては、上記第２のアンテナを介して通信可能な範囲にある複数の非接触記録メディアから、先に付与した識別情報に基づいて、少なくとも１つの非接触記録メディアを選択して情報の記録・再生又は消去を行う通信手段と
を備えることを特徴とする情報記録装置。
【請求項２】
上記メディア装着部は、上記第１のアンテナを介して通信可能な範囲に非接触記録メディアが１個のみ着脱自在に装着可能としたことを特徴とする請求項１記載の情報記録装置。
【請求項３】
上記通信手段は、上記第２のアンテナを介して通信可能な範囲にある複数の非接触記録メディアから、識別情報に基づいて、複数の非接触記録メディアを選択して、同時に情報の記録・再生又は消去を行うことを特徴とする請求項１記載の情報記録装置。
【請求項４】
装置本体から通信可能な範囲にある複数の非接触記録メディアに対して情報を記録する機能を有する情報記録装置により情報が記録される非接触記録メディアであって、
上記情報記録装置のメディア装着部に装着されたことを検出する装着検出手段と、
上記メディア装着部に装着された状態で上記情報記録装置との間で情報の授受を行うための第１のアンテナと、
上記メディア装着部から取り外された状態で上記情報記録装置との間で情報の授受を行うための第２のアンテナと、
上記装着検出手段による検出出力に応じて、上記第１のアンテナと第２のアンテナと切り替えるアンテナ切替手段と、
上記アンテナ切替手段を介して上記第１のアンテナ又は第２のアンテナにより上記情報記録装置との間で通信を行う通信手段と、
上記メディア装着部に装着された状態で、上記通信手段により上記第１のアンテナにより上記情報記録装置との間で通信を行うことにより、上記情報記録装置により認証情報が付与され上記認証情報に基づいて認証処理を行い付与される識別情報を記憶する識別情報記憶手段と、
上記メディア装着部から取り外された状態で、上記通信手段により上記第２のアンテナにより上記情報記録装置との間で通信を行うことにより、上記情報記録装置により、先に付与された識別情報に基づいて選択されて、情報の記録・再生又は消去が行われる情報記憶手段と
を備えることを特徴とする非接触記録メディア。
【請求項５】
装置本体から通信可能な範囲にある複数の非接触記録メディアに対して情報を記録する機能を有する情報記録装置により情報が記録される非接触記録メディアの記録方法であって、
上記情報記録装置に非接触記録メディアが装着されているか否かを判定し、その判定結果に応じて近接通信用の第１のアンテナと近距離通信用の第２のアンテナを切り替え、
上記情報記録装置に装着された状態では、上記第１のアンテナにより上記情報記録装置との間で通信を行うことにより、上記情報記録装置により上記第１のアンテナを介して認証情報を付与し上記認証情報に基づいて認証処理を行い付与される識別情報を非接触記録メディアの識別情報記憶手段に記憶し、
上記情報記録装置から取り外された状態では、上記第２のアンテナにより上記情報記録装置との間で通信を行うことにより、上記情報記録装置により、先に付与された識別情報に基づいて選択されて、非接触記録メディアの情報記憶手段に対して情報の記録・再生又は消去が行われる
ことを特徴とする非接触記録メディアの記録方法。
【発明の詳細な説明】
【技術分野】
【０００１】
本発明は、装置本体から通信可能な範囲にある複数の非接触記録メディアに対して情報を記録する機能を有する情報記録装置、非接触記録メディア及びその記録方法に関する。
【背景技術】
【０００２】
非接触記録メディアとして、情報機器とストレージディスクをワイヤレスに接続してデータの読み書きを行うようにした無線式ストレージや、誘導電磁界を利用してデータの読み書きを行うようにしたＩＣカードが提供されている（例えば、特許文献１、２参照）。
【０００３】
従来、カメラと映像を記録するレコーダが一体となっているカムコーダでは、記録メディアを内蔵あるいは電気的・機械的に結合するので、もし複数の記録メディアを同時に扱える場合でも、記録するための特定の１個を選択することは容易にできる。しかし、記録メディアを無線式ストレージにしてカムコーダ本体から離して記録を行おうとすると、通信可能な範囲に複数の記録メディアがある場合はどの記録メディアに記録するかを区別し選択できるようにする必要がある。
【０００４】
【特許文献１】特開２００４−３６２５２３号公報
【特許文献２】特開２００１−２３６４７４号公報
【発明の開示】
【発明が解決しようとする課題】
【０００５】
しかしながら、特許文献１の記載された無線式ストレージでは、認識情報としての固有情報を予め専用の書込みソフトでストレージのＲＯＭ領域に書き込んでいるが、本体装置とは別に書き込みのための環境（装置）が無いと、新しいストレージは使えない。あるいは与えた情報を、書込み装置からストレージを使用する本体装置に知らせないと、個々のストレージを区別することができない。また、どのストレージに記録するかを操作者が直感的に把握できない問題がある。
【０００６】
また、特許文献２に記載されたＩＣカードでは、本体側の送信電力を最初は低電力で送信して相手側と通信することで、近接した領域内に相手があることを認識する。また、認識後は送信電力を高電力にしてデータ通信を行う。しかし、低電力で通信できる領域内に複数の相手側がある場合もあり得るので、その場合は正常な通信を確立できない。
【０００７】
そこで、本発明の目的は、上述の如き従来の問題点に鑑み、装置本体から通信可能な範囲にある複数の非接触記録メディアに対して情報を記録する機能を有する情報記録装置において、通信可能な範囲に複数の記録メディアがある場合はどの記録メディアに記録するかを区別し選択できるようにすることにある。
【０００８】
本発明の更に他の目的、本発明によって得られる具体的な利点は、以下に説明される実施の形態の説明から一層明らかにされる。
【課題を解決するための手段】
【０００９】
本発明は、装置本体から通信可能な範囲にある複数の非接触記録メディアに対して情報を記録する機能を有する情報記録装置であって、非接触記録メディアが着脱自在に装着されるメディア装着部と、非接触記録メディアが上記メディア装着部に装着されたことを検出するメディア検出手段と、上記メディア装着部に装着された非接触記録メディアに対して情報の授受を行うための第１のアンテナと、上記メディア装着部から取り外された非接触記録メディアに対して情報の授受を行うための第２のアンテナと、上記メディア検出手段による検出出力に応じて、上記第１のアンテナと第２のアンテナと切り替えるアンテナ切替手段と、上記アンテナ切替手段を介して上記第１のアンテナ又は第２のアンテナにより非接触記録メディアに対して通信を行い、上記装置本体に装着された非接触記録メディアに対しては、上記第１のアンテナを介して認証情報を付与して上記認証情報に基づいて認証処理を行い識別情報を付与し、上記装置本体から取り外された非接触記録メディアに対しては、上記第２のアンテナを介して通信可能な範囲にある複数の非接触記録メディアから、先に付与した識別情報に基づいて、少なくとも１つの非接触記録メディアを選択して情報の記録・再生又は消去を行う通信手段とを備えることを特徴とする。
【００１０】
また、本発明は、  装置本体から通信可能な範囲にある複数の非接触記録メディアに対して情報を記録する機能を有する情報記録装置により情報が記録される非接触記録メディアであって、上記情報記録装置のメディア装着部に装着されたことを検出する装着検出手段と、上記メディア装着部に装着された状態で上記情報記録装置との間で情報の授受を行うための第１のアンテナと、上記メディア装着部から取り外された状態で上記情報記録装置との間で情報の授受を行うための第２のアンテナと、上記装着検出手段による検出出力に応じて、上記第１のアンテナと第２のアンテナと切り替えるアンテナ切替手段と、上記アンテナ切替手段を介して上記第１のアンテナ又は第２のアンテナにより上記情報記録装置との間で通信を行う通信手段と、上記メディア装着部に装着された状態で、上記通信手段により上記第１のアンテナにより上記情報記録装置との間で通信を行うことにより、上記情報記録装置により認証情報が付与され上記認証情報に基づいて認証処理を行い付与される識別情報を記憶する識別情報記憶手段と、上記メディア装着部から取り外された状態で、上記通信手段により上記第２のアンテナにより上記情報記録装置との間で通信を行うことにより、上記情報記録装置により、先に付与された識別情報に基づいて選択されて、情報の記録・再生又は消去が行われる情報記憶手段とを備えることを特徴とする。
【００１１】
さらに、本発明は、装置本体から通信可能な範囲にある複数の非接触記録メディアに対して情報を記録する機能を有する情報記録装置により情報が記録される非接触記録メディアの記録方法であって、上記情報記録装置に非接触記録メディアが装着されているか否かを判定し、その判定結果に応じて近接通信用の第１のアンテナと近距離通信用の第２のアンテナを切り替え、上記情報記録装置に装着された状態では、上記第１のアンテナにより上記情報記録装置との間で通信を行うことにより、上記情報記録装置により上記第１のアンテナを介して認証情報を付与し上記認証情報に基づいて認証処理を行い付与される識別情報を非接触記録メディアの識別情報記憶手段に記憶し、上記情報記録装置から取り外された状態では、上記第２のアンテナにより上記情報記録装置との間で通信を行うことにより、上記情報記録装置により、先に付与された識別情報に基づいて選択されて、非接触記録メディアの情報記憶手段に対して情報の記録・再生又は消去が行われることを特徴とする。
【発明の効果】
【００１２】
本発明では、情報記録装置のメディア装着部に装着された非接触記録メディアに対して、第１のアンテナを介して認証操作を行うことができる。非接触記録メディアを１個ずつ本体装置に認識させることにより、操作者は自分が扱った非接触記録メディアを情報記録装置に収納した場合と同様にはっきりと認識できると同時に、記録時には離しておくことで情報記録装置の重量が軽く、容積がコンパクトとなり操作しやすくなる。
【００１３】
また、あらかじめ複数の非接触記録メディアを情報記録装置に認識させることで、一つの記録メディアが満杯になったときに、個別にはっきりと認識できる次の記録メディアに連続して記録することができる。
【００１５】
非接触記録メディアを使うので、埃や砂、ガス、湿気などで環境条件が厳しい場合でも接触不良がなく、高い信頼性で記録ができる。
【発明を実施するための最良の形態】
【００１６】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１７】
本発明は、例えば図１に示すような構成の情報記録装置１００に適用される。
【００１８】
この情報記録装置１００は、ビデオカメラにハードディスクドライブや半導体メモリなどの記録メディアを使用するカムコーダであって、撮像素子１０や画像データ処理回路２０など、被写体を撮像して記録するために通常のカムコーダの構成要素に加えて、無線伝送送受信回路１０１、この無線伝送送受信回路１０１にアンテナ切替スイッチ１０２を介して選択的に接続される第１のアンテナ１０３及び第２のアンテナ１０４、非接触記録メディア５０が着脱自在に装着されるメディア装着部１０５、非接触記録メディア５０が上記メディア装着部１０５に装着されたことを検出するメディア検出スイッチ１０６、上記メディア検出スイッチ１０６による検出出力に応じてアンテナ切替スイッチ１０２の切り替え制御を行う制御回路１０７などを備える。
【００１９】
上記第１のアンテナ１０３は、上記メディア装着部１０５に装着された非接触記録メディア５０に対して情報の授受を行うための近接通信用のアンテナであって、上記メディア装着部１０５に装着されることにより、近接して配置される１個の非接触記録メディア５０とだけした通信することできないように伝搬特性が制限された例えばマイクロストリップラインアンテナからなる。
【００２０】
上記メディア装着部１０５は、上記第１のアンテナ１０３を介して通信可能な範囲に非接触記録メディア５０が１個のみ着脱自在に装着可能とされている。
【００２１】
また、上記第２のアンテナ１０４は、上記メディア装着部１０５から取り外された非接触記録メディア５０に対して情報の授受を行うための近距離通信用のアンテナであって、ＵＷＢあるいはＩＥＥＥ  ８０２．１１ｂに準拠した無線通信を行うためのアンテナが用いられている。
【００２２】
上記制御回路１０７は、非接触記録メディア５０が上記メディア装着部１０５に装着されたことを検出するメディア検出スイッチ１０６による検出出力に応じて、上記メディア装着部１０５に非接触記録メディア５０が装着された状態では上記第１のアンテナ１０３を選択し、上記メディア装着部１０５から非接触記録メディア５０が取り外された状態では上記第２のアンテナ１０４を選択するように、上記アンテナ切替スイッチ１０２の切り替え制御を行う。
【００２３】
そして、この情報記録装置１００において、上記無線伝送送受信回路１０１は、上記アンテナ切替スイッチ１０２を介して上記第１のアンテナ１０３又は第２のアンテナ１０４により非接触記録メディア５０に対して通信を行い、図１に示すように、装置本体１１０の上記メディア装着部１０５に装着された非接触記録メディア５０に対しては、上記第１のアンテナ１０３を介して認証処理を行い識別情報を付与し、また、図２に示すように、上記装置本体１１０から取り外された非接触記録メディア５０に対しては、上記第２のアンテナ１０４を介して通信可能な範囲にある複数の非接触記録メディアから、識別情報に基づいて、少なくとも１つの非接触記録メディアを選択して情報の記録・再生又は消去を行う。
【００２４】
ここで、上記非接触記録メディア５０は、例えば図３に示すように、第１のアンテナ５１、第２のアンテナ５２、上記第１のアンテナ５１と第２のアンテナ５２にアンテナ切り替えスイッチ５３を介して選択的に接続される無線伝送送受信回路５４、上記無線伝送送受信回路５４に接続されたデータ記録部５５、識別情報記憶部５６及びアクセス表示部５７、当該非接触記録メディア５０が上記情報記録装置１００のメディア装着部１０５に装着されたことを検出する装着検出スイッチ５８、上記装着検出スイッチ５８による検出出力に応じて上記アンテナ切り替えスイッチ５３の切り替え制御を行う制御回路５９などを備えてなる。
【００２５】
上記第１のアンテナ５１は、当該非接触記録メディア５０が上記メディア装着部１０５に装着された状態で上記情報記録装置１００との間で情報の授受を行うための近接通信用のアンテナであって、当該非接触記録メディア５０が上記メディア装着部１０５に装着されることにより、近接して配置される上記情報記録装置１００側の上記第１のアンテナ１０３と電磁的に結合する例えばマイクロストリップラインアンテナからなる。
【００２６】
また、上記第２のアンテナ５２は、当該非接触記録メディア５０が上記情報記録装置１００のメディア装着部１０５から取り外された状態で上記情報記録装置１００との間で情報の授受を行うための近距離通信用のアンテナであって、ＵＷＢあるいはＩＥＥＥ  ８０２．１１ｂに準拠した無線通信を行うためのアンテナが用いられている。
【００２７】
さらに、上記制御回路５９は、当該非接触記録メディア５０が上記情報記録装置１００のメディア装着部１０５に装着されたことを検出する装着検出スイッチ５８による検出出力に応じて、上記メディア装着部１０５に当該非接触記録メディア５０が装着された状態では上記第１のアンテナ５１を選択し、当該メディア装着部１０５から非接触記録メディア５０が取り外された状態では上記第２のアンテナ５２を選択するように、上記アンテナ切替スイッチ５３の切り替え制御を行う。
【００２８】
そして、この非接触記録メディア５０において、上記無線伝送送受信回路５４は、図１に示すように、当該非接触記録メディア５０が上記情報記録装置１００のメディア装着部１０５に装着された状態では、上記アンテナ切替スイッチ５３により第１のアンテナ５１が選択され、この第１のアンテナ５１により上記情報記録装置１００との間で通信を行い、上記第１のアンテナ５１を介して認証処理が行われて付与される識別情報を識別情報記憶部に５６に記憶し、また、図２に示すように、当該非接触記録メディア５０が上記情報記録装置１００のメディア装着部１０５から取り外された状態では、上記アンテナ切替スイッチ５３により第２のアンテナ５２が選択され、この第２のアンテナ５２により上記情報記録装置１００との間で通信を行い、データ記録部５５に対して情報の記録・再生又は消去を行う。
【００２９】
この非接触記録メディア５０は、情報記録装置１００から離れた状態では第２のアンテナ５２でデータ伝送を行うが、近くに複数枚の非接触記録メディアがある場合、どのメディアとデータを授受しているかを見分けることができるように、アクセス表示部５７がデータ伝送時に点滅するようになっている。また、非接触記録メディア５０内の電源はバッテリー６０を搭載する、あるいは電磁界等で非接触伝送される。
【００３０】
すなわち、このような非接触記録メディア５０に対して情報の記録・再生又は消去を行う当該情報記録装置１００では、図４のフローチャートに示すように、装置本体１１０のメディア装着部１０５に非接触記録メディア５０が装着されたか否を判定し（ステップＳ１）、その判定結果がＹＥＳ、すなわち、上記メディア装着部１０５に非接触記録メディア５０が装着されたことをメディア検出スイッチ１０６が検出すると、アンテナ切替スイッチ１０２により第１のアンテナ１０３を選択し（ステップＳ２）、この第１のアンテナ１０３を使用して認証処理を行い識別情報を付与する（ステップＳ３）。
【００３１】
また、上記ステップＳ１における判定結果がＮＯ、すなわち、上記メディア装着部１０５に非接触記録メディア５０が装着されていない状態では、アンテナ切替スイッチ１０２により第２のアンテナ１０４を選択し（ステップＳ４）、この第２のアンテナ１０４を介して通信可能な範囲にある複数の非接触記録メディアから、識別情報に基づいて、少なくとも１つの非接触記録メディアを選択して情報の記録・再生又は消去を行う（ステップＳ５）。この場合、上記第２のアンテナ１０４を介して通信可能な範囲にある複数の非接触記録メディアから、識別情報に基づいて、特定の１つの非接触記録メディアを選択して、情報の記録・再生又は消去を行うこともできる。また、上記第２のアンテナ１０４を介して通信可能な範囲にある複数の非接触記録メディアから、識別情報に基づいて、複数の非接触記録メディアを選択して、同時に情報の記録・再生又は消去を行うこともできる。
【００３２】
上述の如く、この情報記録装置１００は、記録メディアをカムコーダ本体から取り出した状態でも内蔵している状態と変わりなく記録再生が可能な装置を実現させるために、記録メディアを収納する記録装置を無線によるデータ伝送が可能な非接触記録メディア５０とすると共に、操作する者が特定の１個の非接触記録メディア５０を選択して記録再生するための認証情報付与機能を備える。
【００３３】
それに加えて、同じ無線伝送回路１０１を使って非接触で非接触記録メディア５０に対して認証情報を付与する機能を持つ。ただし、認証情報付与機能は、非接触記録メディア５０が情報記録装置１００の装置本体１１０のメディア装着部１０５に装着され上記第１のアンテナ１０３に近接した場合だけ動作する。また、メディア装着部１０５は、一度に非接触記録メディア５０を１個だけが上記第１のアンテナ１０３に近接した領域に置ける構造を持つ。そして、この実施の形態では、非接触記録メディア５０が第１のアンテナ１０３に近接する位置にあることをメディア検出スイッチ１０６で検出し、制御回路１０７からの指示で無線伝送回路１０１からの結線を第１のアンテナ１０３に切替えて、認証情報付与動作を行う。
【００３４】
ここで、情報付与機能が動作できる近さにあるかどうかの判定は、非接触記録メディア５０との距離で行う。距離の検出は機械的スイッチ、静電容量の変化の検出、磁気変化の検出、可視光や赤外線などの反射あるいは遮光の検出、超音波の反射あるいは遮断の検出、無線通信の応答時間の検出などによる。
【００３５】
また、非接触記録メディア５０の形状を特定の形とすることで、情報が付与できる距離に近づくことのできないメディアを対象外のメディアとして排除することができる。例えば、商標登録したロゴマークをメディアのケースに雄型のレリーフとして付け、本体装置１１０には対応する雌型の窪みを付けて、ぴったりとあった場合だけ識別情報が付与できる距離になるようにする。
【００３６】
例えば図５に示すように、非接触記録メディア５０は一隅に切り欠き部５０Ａを設けた外形形状とし、情報記録装置１００の装置本体１１０にはメディア装着部１０５として上記非接触記録メディア５０の外形形状に対応する溝部１０５Ａを設けるようにする。非接触記録メディア５０の一隅に切り欠き部５０Ａあるため、装置本体１１０のメディア装着部１０５の溝部１０５Ａには切り欠き形状が合うものしか嵌らない。この切り欠き形状は特殊な凹凸によっても同等の機能が実現できる。
【００３７】
そして、上記非接触記録メディア５０内部と情報記録装置１００のメディア装着部１０５の溝部１０５Ａには、それぞれ互いに対向する位置にホール素子５８Ａ，１０６Ａとマグネット５８Ｂ，１０６Ｂが埋め込まれている。上記ホール素子５８Ａとマグネット５５Ｂは、距離センサーとして機能し、装着検出スイッチ５８を構成している。また、上記ホール素子１０６Ａとマグネット１０６Ｂは、距離センサーとして機能し、メディア検出スイッチ１０６を構成している。
【００３８】
このような構造とすることにより、図６に示すように、上記装置本体１１０のメディア装着部１０５の溝部１０５Ａに非接触記録メディア５０が嵌った場合のみ、ホール素子５８Ａ，１０６Ａとマグネット５８Ｂ，１０６Ｂが接近して、相手を認識することができる。
【図面の簡単な説明】
【００３９】
【図１】本発明を適用した情報記録装置の構成を示すブロック図である。
【図２】上記情報記録装置において非接触記録メディアを装置本体から取り外した状態を示すブロック図である。
【図３】上記非接触記録メディアの構成を示すブロック図である。
【図４】上記情報記録装置の動作を示すフローチャートである。
【図５】非接触記録メディアと情報記録装置のメディア装着部とを示す要部斜視図である。
【図６】非接触記録メディアを情報記録装置のメディア装着部に装着する状態を示す図である。
【符号の説明】
【００４０】
１０  撮像素子、２０  画像データ処理回路、５０  非接触記録メディア、５０Ａ  切り欠き部、５１  第１のアンテナ、５２  第２のアンテナ、５３  アンテナ切り替えスイッチ、５４  無線伝送送受信回路、５５  データ記録部、５６  識別情報記憶部、５７  アクセス表示部、５８  装着検出スイッチ、５８Ａ，１０６Ａ  ホール素子、５８Ｂ，１０６Ｂ  マグネット、５９  制御回路、６０  バッテリー、１００  情報記録装置、１０１  無線伝送送受信回路、１０２  アンテナ切替スイッチ、１０３  第１のアンテナ、１０４  第２のアンテナ、１０５  メディア装着部、１０５Ａ  溝部、１０６  メディア検出スイッチ、１０７  制御回路、１１０  装置本体
【図１】
0004534962.tif 000002
【図２】
0004534962.tif 000003
【図３】
0004534962.tif 000004
【図４】
0004534962.tif 000005
【図５】
0004534962.tif 000006
【図６】
0004534962.tif 000007